(57)【要約】【課題】輝点による画質への影響を低減させたタッチ感知パネルの提供。【解決手段】タッチ感知パネルは、感知パターン層と、前記感知パターン層に配置される複数のブリッジ線とを含む。ブリッジ線は、低い反射率を有する上面を備える。感知パターン層は、複数の第１の感知パッドと、複数の第２の感知パッドと、を含む。複数の第１の感知パッドは、第１の感知アレイを形成するために、ブリッジ線により接続される。複数の第２の感知パッドは、第２の感知アレイを形成するために、接続部により接続される。第１の感知アレイは、第２の感知アレイから絶縁される。ブリッジ線の上面の反射率は低く、それゆえ、外部光源からの光がブリッジ線により容易に反射されない、輝点による画質への影響を低減させる。【選択図】図１Ｂ
2015501979.tif 000002
【特許請求の範囲】
【請求項１】
同じ方向に沿う複数の感知パッドを少なくとも含む感知パターン層と、
前記感知パッドを電気的に接続する複数のブリッジ線と、を含み、
前記ブリッジ線は、低い反射率を有する上面を備える
を含むタッチ感知パネル。
【請求項２】
基板をさらに含み、
前記感知パターン層が前記基板に配置される
請求項１に記載のタッチ感知パネル。
【請求項３】
前記感知パターン層は、
第１の軸に沿って配列される複数の第１の感知パッドと、
第２の軸に沿って配列される複数の第２の感知パッドと、をさらに含み、
前記複数の第１の感知パッドは、第１の感知アレイを形成するために、前記ブリッジ線により電気的に接続され、
前記複数の第２の感知パッドは、第２の感知アレイを形成するために、接続部により接続され、
前記第１の感知アレイは、前記第２の感知アレイから絶縁される
ことを特徴とする請求項１に記載されるタッチ感知パネル。
【請求項４】
絶縁シートをさらに含み、
前記絶縁シートは、前記接続部が前記ブリッジ線から電気的に絶縁されるように、前記接続部と前記ブリッジ線との間に配置される
ことを特徴とする請求項３に記載されるタッチ感知パネル。
【請求項５】
前記ブリッジ線及び前記感知パターン層を覆う保護層をさらに含む
ことを特徴とする請求項１に記載されるタッチ感知パネル。
【請求項６】
前記複数のブリッジ線の前記上面の色は、黒色又はダークグレーである
ことを特徴とする請求項１に記載されるタッチ感知パネル。
【請求項７】
前記複数のブリッジ線の前記上面の材料は、金属、金属窒化物、又は、金属酸化物である
ことを特徴とする請求項６に記載されるタッチ感知パネル。
【請求項８】
前記ブリッジ線は、単層構造を有する
ことを特徴とする請求項１に記載されるタッチ感知パネル。
【請求項９】
前記ブリッジ線は、複層構造を有する
ことを特徴とする請求項１に記載されるタッチ感知パネル。
【請求項１０】
前記ブリッジ線は、導電層と、前記導電層に配置される反射防止層とを少なくとも含む
ことを特徴とする請求項９に記載されるタッチ感知パネル。
【請求項１１】
前記反射防止層の色は、黒色又はダークグレーである
ことを特徴とする請求項１０に記載されるタッチ感知パネル。
【請求項１２】
前記反射防止層の材料は金属である
ことを特徴とする請求項１１に記載されるタッチ感知パネル。
【請求項１３】
前記金属は、金、銅、ニッケル、タングステン、又は、これらの合金
ことを特徴とする請求項７又は１２に記載されるタッチ感知パネル。
【請求項１４】
前記導電層は単層構造を有する
ことを特徴とする請求項１０に記載されるタッチ感知パネル。
【請求項１５】
前記導電層は複層構造を有する
ことを特徴とする請求項１０に記載されるタッチ感知パネル。
【請求項１６】
前記導電層は、
第１の金属層と、
前記第１の金属層に配置され、前記第１の金属層と前記反射防止層との間に位置する第２の金属層とを少なくとも含む
ことを特徴とする請求項１５に記載されるタッチ感知パネル。
【請求項１７】
前記第１の金属層の材料は、アルミニウム、モリブデン、金、銅、ニッケル、タングステン、又は、これらの合金であり、
前記第２の金属層の材料は、アルミニウム、モリブデン、金、銅、ニッケル、タングステン、又は、これらの合金である
ことを特徴とする請求項１６に記載されるタッチ感知パネル。
【請求項１８】
前記導電層は、前記第２の金属層と前記反射防止層との間に配置される第３の金属層をさらに含み、
前記反射防止層は、前記第３の金属層に配置される
ことを特徴とする請求項１６に記載されるタッチ感知パネル。
【請求項１９】
前記第３の金属層の材料は、アルミニウム、モリブデン、金、銅、ニッケル、タングステン、又は、これらの合金であることを特徴とする請求項１８に記載されるタッチ感知パネル。
【発明の詳細な説明】
【技術分野】
【０００１】
本開示は、タッチ入力装置に関し、特にタッチ感知パネルに関する。
【背景技術】
【０００２】
タッチ感知パネルは通常、基板と、その基板上に第１の軸に沿って配置される第１の感知パッドと、その基板上に第２の軸に沿って配置される第２の感知パッドとを備える。隣り合う第１の感知パッド同士は導電線により互いに接続される。隣り合う第２の感知パッド同士はそれぞれ導電線の両側に配置され、その導電線を超えるブリッジ線により接続される。そのブリッジ線は、導電線から電気的に絶縁されている。多くの場合、ブリッジ線は、比較的高い反射率を有する金属材料からなる。それゆえ、タッチ感知パネルを使用する際に、ブリッジ線は、外界からの光を反射する。これが、輝点をタッチ感知パネルのスクリーンに発生させることがあり、画質に影響を与える。
【発明の概要】
【発明が解決しようとする課題】
【０００３】
従来の技術における上記した問題を考慮すると、本開示の目的は、ブリッジ線の反射能力を低減するために、低い反射率を有する上面を備えるブリッジ線をタッチ感知パネルに配置することにより、上記した輝点による画質への影響を低減させたタッチ感知パネルを提供することである。
【課題を解決するための手段】
【０００４】
本開示における別の実施形態のタッチ感知パネルは、
少なくとも同じ方向に沿う複数の感知パッドを含む感知パターン層と、
同じ方向に沿う複数の感知パッドを電気的に接続する複数のブリッジ線と、を含み、
前記ブリッジ線は、低い反射率を有する上面を備える。
【０００５】
感知パターン層は、第１の軸に沿って配置された複数の第１感知パッドと、第２の軸に沿って配置された複数の第２感知パッドとを含む。前記複数の第１感知パッドは、第1感知アレイを形成するために、導電線により接続され、前記複数の第２感知パッドは、第２感知アレイを形成するために、接続部により接続される。第１感知アレイは、第２感知アレイから絶縁される。
【発明の効果】
【０００６】
上記した実施形態によれば、ブリッジ線の上面の反射率は比較的低く、それゆえ、外部光源からの光はブリッジ線により容易に反射されない。これにより、輝点による画質への影響を低減させる。
【０００７】
本技術分野における通常の知識を有する者に、本開示を理解させるために、多数の実施形態について以下に説明する。本開示と本目的とについての事項を簡単に説明するために図面を添付した。
【図面の簡単な説明】
【０００８】
【図１Ａ】本開示の第１の実施形態にかかるタッチ感知パネルの上面模式図である。
【０００９】
【図１Ｂ】図１ＡのＩ―Ｉ線に沿って切断されたタッチ感知パネルの断面模式図である。
【００１０】
【図２】本開示の第２の実施形態にかかるタッチ感知パネルの断面模式図である。
【００１１】
【図３】本開示の第３の実施形態にかかるタッチ感知パネルの断面模式図である。
【発明を実施するための形態】
【００１２】
図１Ａは、本開示の第１の実施形態にかかるタッチ感知パネルの上面模式図である。図１Ｂは、図１ＡのＩ―Ｉ線に沿って切断されたタッチ感知パネルの断面模式図である。図１Ａ及び図１Ｂを参照すると、タッチ感知パネル１００は、透明基板１１０と、複数のブリッジ線１２０と、感知パターン層１３０とを含む。透明基板１１０は、平面１１２と、ブリッジ線１２０と平面１１２との間に配置された感知パターン層１３０とを備える。透明基板１１０は、ガラス板又は透明プラスチック板である。
【００１３】
感知パターン層１３０は、第１の軸に沿って配置される第１の感知パッド１３１と、第２の軸に沿って配置される第２の感知パッド１３２と、複数の接続部１３３と、を含む。第１の感知パッド１３１と、第２の感知パッド１３２と、接続部１３３とは平面１１２上に配置されている。複数のブリッジ線１２０はそれぞれ、互いに平行な第１の感知アレイＬ１を形成するために、隣り合う第１の感知パッド１３１同士を接続する。接続部１３３の一つ一つは、互いに平行な第２の感知アレイＬ２を形成するために、隣り合う第２の感知パッド１３２同士を接続する。第１の感知アレイＬ１は、第２の感知アレイＬ２から電気的に絶縁される。
【００１４】
第１の感知アレイＬ１は、第２の感知アレイＬ２と織り交ぜられ、接続部１３３はそれぞれ、各ブリッジ線１２０の真下に位置する。よって、接続部１３３は、それぞれブリッジ線１２０と織り交ぜられる。また、感知パターン層１３０は、例えば、透明導電フィルムからなる。透明導電フィルムは、例えば、酸化インジウムスズ（ＩＴＯ）や酸化インジウム亜鉛（ＩＺＯ）である。第１の感知パッド１３１と、第２の感知パッド１３２と、接続部１３３とは、例えば、フォトリソグラフィとエッチングとによる透明導電フィルムからなる。
【００１５】
ブリッジ線１２０は、上面Ｔ１と、上面Ｔ１に対応する底面Ｂ１とを有する。底面Ｂ１は、底面Ｂ１が平面１１２と上面Ｔ１との間に位置するように、平面１１２に対向する。ブリッジ線１２０は単層構造からなり、その単層は金属材料層である。ブリッジ線１２０は、例えば、金属材料からなる導電線である。ブリッジ線１２０の材料は、例えば、比較的低い反射率を有する金属、金属窒化物、及び、金属酸化物である。このような金属として、例えば、金、銅、ニッケル、タングステン、又はこれらの合金が挙げられる。このような金属、金属窒化物、及び、金属酸化物は、黒色、又は、ダークグレー色を呈するとともに、比較的低い反射率を有し、それゆえ、上面Ｔ１の反射率も比較的低い。一方、別の実施形態では、上面Ｔ１が光を吸収しつつ、光の反射を回避することができるのであれば、別の非黒色又は非ダークグレー色の材料であってもよい。
【００１６】
さらに、タッチ感知パネル１００は、絶縁シート１４０と、保護層１５０とを含む。絶縁シート１４０は、接続部１３３がブリッジ線１２０から電気的に絶縁されるように、接続部１３３とブリッジ線１２０との間に配置される。保護層１５０は、ブリッジ線１２０と感知パターン層１３０とを覆う。ブリッジ線１２０は、絶縁シート１４０の上に配置されつつ、絶縁シート１４０を渡る。上面Ｔ１の反射率が比較的低いため、外部光源からの光がブリッジ線１２０から容易に反射しない。故に、輝点の発生を抑制することができるとともに、輝点の数を低減することができる。従って、輝点による画質への影響を低減することができ、また、タッチディスプレイの画質を維持又は改善することができる。
【００１７】
図２は、本開示の第２の実施形態にかかるタッチ感知パネル２００の断面模式図である。図２を参照すると、第２の実施形態にかかるタッチ感知パネル２００の構成は、第１の実施形態にかかるタッチ感知パネル１００と類似する。例えば、タッチ感知パネル１００とタッチ感知パネル２００とはいずれも、透明基板１１０と、感知パターン層１３０と、絶縁シート１４０と、保護層１５０とを含む。タッチ感知パネル１００とタッチ感知パネル２００との違いを主に以下に記載し、共通する技術的特徴の説明は省略する。
【００１８】
タッチ感知パネル１００とタッチ感知パネル２００との違いがある。タッチ感知パネル２００における複数のブリッジ線２２０は、単層構造ではなく、複層構造である。特に、ブリッジ線２２０は、二層構造であり、導電層２２２と、反射防止層２２４とを含む。導電層２２２は、単層構造であり、例えば、金属層である。金属層として、例えば、アルミニウム金属層、モリブデン金属層が挙げられる。反射防止層２２４は、ブリッジ線２２０の上面Ｔ２が反射防止層２２４の上面になるとともにブリッジ線２２０の底面Ｂ２が導電層２２２の底面になるように、導電層２２２に配置される。
【００１９】
反射防止層２２４の反射率は、導電層２２０の反射率及び絶縁シート１４０の反射率と比較して低い。その結果、ブリッジ線２２０の上面Ｔ２の反射率が減じるのである。したがって、ブリッジ線２２０は、第１の実施形態の同一の効果を有する。つまり、ブリッジ線２２０は、外部光源からの光がブリッジ線２２０から容易に反射しない。故に、輝点の発生を抑制することができる。さらに、反射防止層２２４は、例えば、黒やダークグレーといった色を有する非透明層である。従って、反射防止層２２４は、光を遮蔽する特徴を備える。
【００２０】
反射防止層２２４は、例えば、絶縁材料、又は、導電材料である。反射防止層２２４は、例えば、絶縁材料層、又は、導電材料層である。反射防止層２２４は絶縁材料層である場合、反射防止層２２４は、例えば、黒色、又は、別の暗い色のコーティングからなる。
反射防止層２２４は導電材料層である場合、反射防止層２２４は、例えば、ブリッジ線１２０と同じ種類の材料、つまり、比較的低い反射率を有する金属材料からなる。このような金属材料は、例えば、銅、ニッケル、タングステン、これらの合金、金属窒化物、金属酸化物などである。また、反射防止層２２４は、スパッタリング方法や別の方法を用いて、導電層の上面に形成される。反射防止層２２４は、黒色又は暗色のフォトレジスト材料からなるとしてもよく、スピンコーティング法、ロールコーティング法、スプレー法、スリットコーティング法等を用いて、導電層の上面にコーティングされてもよい。
【００２１】
図３は、本開示の第３の実施形態にかかるタッチ感知パネルの断面模式図である。図３を参照すると、第３の実施形態にかかるタッチ感知パネル３００の構成は、第２の実施形態にかかるタッチ感知パネル２００と類似する。例えば、タッチ感知パネル２００とタッチ感知パネル３００とはいずれも、透明基板１１０と、感知パターン層１３０と、絶縁シート１４０と、保護層１５０とを含む。また、タッチ感知パネル３００における複数のブリッジ線３２０は、複層構造からなる。したがって、タッチ感知パネル２００とタッチ感知パネル３００との違いを主に以下に記載し、共通する技術的特徴の説明は省略する。
【００２２】
タッチ感知パネル２００とタッチ感知パネル３００との違いのために、ブリッジ線３２０は反射防止層２２４と導電層３２２とを含み、導電層３２２は単層構造ではなく、複層構造である。特に、導電層３２２は、第１の金属層Ｍ１と、第２の金属層Ｍ２と、第３の金属層Ｍ３とを含む。第１の金属層Ｍ１は絶縁シート１４０に配置され、第２の金属層Ｍ２は第１の金属層Ｍ１に配置され、第３の金属層Ｍ３は第２の金属層Ｍ２に配置される。反射防止層２２４は第３の金属層Ｍ３に配置される。
【００２３】
第２の金属層Ｍ２と第３の金属層Ｍ３とは、第１の金属層Ｍ１と反射防止層２２４との間に位置する。第３の金属層Ｍ３は、第２の金属層Ｍ２と反射防止層２２４との間に配置される。つまり、反射防止層２２４と、第３の金属層Ｍ３と、第２の金属層Ｍ２と、第１の金属層Ｍ１とは、上から下に順に、透明基板１１０に積まれる。
【００２４】
反射防止層２２４の反射率は、第１の金属層Ｍ１、第２の金属層Ｍ２、第３の金属層Ｍ３、及び絶縁シート１４０のいずれの反射率と比較しても低い。その結果、ブリッジ線３２０の上面Ｔ３の反射率が減じるのである。したがって、本実施形態では、外部光源からの光がブリッジ線３２０から容易に反射しない。故に、輝点の発生を抑制することができる。
【００２５】
以上より、上記した実施形態において説明されたタッチ感知パネルでは、外部光源から光がブリッジ線によって容易に反射しないように、リッジ線の上面の反射率を低減させるために、適切な材料が使用されている。したがって、輝点の数を減少させることができる。また、輝点による画質への影響を低減させることができる。しかも、タッチディスプレイの画質を維持又は改善することができる。
【００２６】
特定の実施形態を示して説明したが、本開示の精神および範囲を離れることなくして、これに対する種々の変更および取り換えを行ってもよい。従って、本開示は説明として説明されたものであり、限定されるものでないことが理解される。
【図１Ａ】
2015501979.tif 000003
【図１Ｂ】
2015501979.tif 000004
【図２】
2015501979.tif 000005
【図３】
2015501979.tif 000006
【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
同じ方向に沿う複数の感知パッドを少なくとも含む感知パターン層と、
前記感知パッドを電気的に接続する複数のブリッジ線と、を含み、
前記ブリッジ線は、低い反射率を有する上面を備える
を含むタッチ感知パネル。
【請求項２】
基板をさらに含み、
前記感知パターン層が前記基板に配置される
請求項１に記載のタッチ感知パネル。
【請求項３】
前記感知パターン層は、
第１の軸に沿って配列される複数の第１の感知パッドと、
第２の軸に沿って配列される複数の第２の感知パッドと、をさらに含み、
前記複数の第１の感知パッドは、第１の感知アレイを形成するために、前記ブリッジ線により電気的に接続され、
前記複数の第２の感知パッドは、第２の感知アレイを形成するために、接続部により接続され、
前記第１の感知アレイは、前記第２の感知アレイから絶縁される
ことを特徴とする請求項１又は２に記載されるタッチ感知パネル。
【請求項４】
絶縁シートをさらに含み、
前記絶縁シートは、前記接続部が前記ブリッジ線から電気的に絶縁されるように、前記接続部と前記ブリッジ線との間に配置される
ことを特徴とする請求項３に記載されるタッチ感知パネル。
【請求項５】
前記複数のブリッジ線の前記上面の色は、黒色又はダークグレーである
ことを特徴とする請求項１〜４のいずれか１つに記載されるタッチ感知パネル。
【請求項６】
前記ブリッジ線は、導電層と、前記導電層に配置される反射防止層とを少なくとも含む
ことを特徴とする請求項１〜５のいずれか１つに記載されるタッチ感知パネル。
【請求項７】
前記反射防止層の色は、黒色又はダークグレーである
ことを特徴とする請求項６に記載されるタッチ感知パネル。
【請求項８】
前記反射防止層の材料は金属である
ことを特徴とする請求項６又は７に記載されるタッチ感知パネル。
【請求項９】
前記導電層は、
第１の金属層と、
前記第１の金属層に配置され、前記第１の金属層と前記反射防止層との間に位置する第２の金属層とを少なくとも含む
ことを特徴とする請求項６〜８のいずれか１つに記載されるタッチ感知パネル。
【請求項１０】
前記導電層は、前記第２の金属層と前記反射防止層との間に配置される第３の金属層をさらに含み、
前記反射防止層は、前記第３の金属層に配置される
ことを特徴とする請求項９に記載されるタッチ感知パネル。
【手続補正２】
【補正対象書類名】明細書
【補正対象項目名】０００２
【補正方法】変更
【補正の内容】
【０００２】
タッチ感知パネルは通常、基板と、その基板上に第１の軸に沿って配置される第１の感知パッドと、その基板上に第２の軸に沿って配置される第２の感知パッドとを備える。隣り合う第１の感知パッド同士は導電線により互いに接続される。隣り合う第２の感知パッド同士はそれぞれ導電線の両側に配置され、その導電線を超えるブリッジ線により接続される。そのブリッジ線は、導電線から電気的に絶縁されている。多くの場合、ブリッジ線は、比較的高い反射率を有する金属材料からなる。それゆえ、タッチ感知パネルを使用する際に、ブリッジ線は、外界からの光を反射する。これが、輝点をタッチ感知パネルのスクリーンに発生させることがあり、画質に影響を与える。
【先行技術文献】
【特許文献】
【特許文献１】中国特許出願公開第１０１９８９１６０号明細書
【特許文献２】台湾特許出願公開第２０１０２２７６２号公報
【手続補正３】
【補正対象書類名】明細書
【補正対象項目名】００１８
【補正方法】変更
【補正の内容】
【００１８】
タッチ感知パネル１００とタッチ感知パネル２００との違いがある。タッチ感知パネル２００における複数のブリッジ線２２０は、単層構造ではなく、複層構造からなる。特に、ブリッジ線２２０は、二層構造からなり、導電層２２２と、反射防止層２２４とを含む。導電層２２２は、単層構造からなり、例えば、金属層である。金属層として、例えば、アルミニウム金属層、モリブデン金属層が挙げられる。反射防止層２２４は、ブリッジ線２２０の上面Ｔ２が反射防止層２２４の上面になるとともにブリッジ線２２０の底面Ｂ２が導電層２２２の底面になるように、導電層２２２に配置される。
【手続補正４】
【補正対象書類名】明細書
【補正対象項目名】００２２
【補正方法】変更
【補正の内容】
【００２２】
タッチ感知パネル２００とタッチ感知パネル３００との違いのために、ブリッジ線３２０は反射防止層２２４と導電層３２２とを含み、導電層３２２は単層構造ではなく、複層構造からなる。特に、導電層３２２は、第１の金属層Ｍ１と、第２の金属層Ｍ２と、第３の金属層Ｍ３とを含む。第１の金属層Ｍ１は絶縁シート１４０に配置され、第２の金属層Ｍ２は第１の金属層Ｍ１に配置され、第３の金属層Ｍ３は第２の金属層Ｍ２に配置される。反射防止層２２４は第３の金属層Ｍ３に配置される。
【手続補正５】
【補正対象書類名】明細書
【補正対象項目名】００２６
【補正方法】変更
【補正の内容】
【００２６】
特定の実施形態を示して説明したが、本開示の精神および範囲を離れることなくして、これに対する種々の変更および取り換えを行ってもよい。従って、本開示は説明として説明されたものであり、限定されるものでないことが理解される。
（付記１）
同じ方向に沿う複数の感知パッドを少なくとも含む感知パターン層と、
前記感知パッドを電気的に接続する複数のブリッジ線と、を含み、
前記ブリッジ線は、低い反射率を有する上面を備える
を含むタッチ感知パネル。
（付記２）
基板をさらに含み、
前記感知パターン層が前記基板に配置される
上記した（付記１）に記載のタッチ感知パネル。
（付記３）
前記感知パターン層は、
第１の軸に沿って配列される複数の第１の感知パッドと、
第２の軸に沿って配列される複数の第２の感知パッドと、をさらに含み、
前記複数の第１の感知パッドは、第１の感知アレイを形成するために、前記ブリッジ線により電気的に接続され、
前記複数の第２の感知パッドは、第２の感知アレイを形成するために、接続部により接続され、
前記第１の感知アレイは、前記第２の感知アレイから絶縁される
ことを特徴とする（付記１）に記載されるタッチ感知パネル。
（付記４）
絶縁シートをさらに含み、
前記絶縁シートは、前記接続部が前記ブリッジ線から電気的に絶縁されるように、前記接続部と前記ブリッジ線との間に配置される
ことを特徴とする（付記４）に記載されるタッチ感知パネル。
（付記５）
前記ブリッジ線及び前記感知パターン層を覆う保護層をさらに含む
ことを特徴とする（付記１）に記載されるタッチ感知パネル。
（付記６）
前記複数のブリッジ線の前記上面の色は、黒色又はダークグレーである
ことを特徴とする（付記１）に記載されるタッチ感知パネル。
（付記７）
前記複数のブリッジ線の前記上面の材料は、金属、金属窒化物、又は、金属酸化物である
ことを特徴とする（付記６）に記載されるタッチ感知パネル。
（付記８）
前記ブリッジ線は、単層構造を有する
ことを特徴とする（付記１）に記載されるタッチ感知パネル。
（付記９）
前記ブリッジ線は、複層構造を有する
ことを特徴とする（付記１）に記載されるタッチ感知パネル。
（付記１０）
前記ブリッジ線は、導電層と、前記導電層に配置される反射防止層とを少なくとも含む
ことを特徴とする（付記９）に記載されるタッチ感知パネル。
（付記１１）
前記反射防止層の色は、黒色又はダークグレーである
ことを特徴とする（付記１０）に記載されるタッチ感知パネル。
（付記１２）
前記反射防止層の材料は金属である
ことを特徴とする（付記１１）に記載されるタッチ感知パネル。
（付記１３）
前記金属は、金、銅、ニッケル、タングステン、又は、これらの合金
ことを特徴とする（付記７）又は（付記１２）に記載されるタッチ感知パネル。
（付記１４）
前記導電層は単層構造を有する
ことを特徴とする（付記１０）に記載されるタッチ感知パネル。
（付記１５）
前記導電層は複層構造を有する
ことを特徴とする（付記１０）に記載されるタッチ感知パネル。
（付記１６）
前記導電層は、
第１の金属層と、
前記第１の金属層に配置され、前記第１の金属層と前記反射防止層との間に位置する第２の金属層とを少なくとも含む
ことを特徴とする（付記１５）に記載されるタッチ感知パネル。
（付記１７）
前記第１の金属層の材料は、アルミニウム、モリブデン、金、銅、ニッケル、タングステン、又は、これらの合金であり、
前記第２の金属層の材料は、アルミニウム、モリブデン、金、銅、ニッケル、タングステン、又は、これらの合金である
ことを特徴とする（付記１６）に記載されるタッチ感知パネル。
（付記１８）
前記導電層は、前記第２の金属層と前記反射防止層との間に配置される第３の金属層をさらに含み、
前記反射防止層は、前記第３の金属層に配置される
ことを特徴とする（付記１６）に記載されるタッチ感知パネル。
（付記１９）
前記第３の金属層の材料は、アルミニウム、モリブデン、金、銅、ニッケル、タングステン、又は、これらの合金であることを特徴とする（付記１８）に記載されるタッチ感知パネル。
【国際調査報告】
2015501979.tif 000007
2015501979.tif 000008
2015501979.tif 000009
2015501979.tif 000010